Podtech/llm-jp-corpus-v4-ja_patent huggingface dataset:
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
歯科用コンポーネントを歯科用インプラントに連結するシステムであって、前記器具が、仮連結機構を備えるコーピングを含む、システム。
【請求項２】
仮連結機構と第２の連結機構とを備えるアバットメント
を更に含み、
前記コーピングと前記アバットメントが、前記仮連結機構によって一時的に、併せて連結するように構成されており、
前記アバットメントが、前記インプラントに連結するように構成されている、
請求項１に記載のシステム。
【請求項３】
ねじ山を備える固定具を更に含み、前記ねじ山が、前記第２の連結機構と嵌合して、前記コーピングを前記アバットメントと連結するように構成されている、請求項２に記載のシステム。
【請求項４】
前記コーピングが、細長い部材を更に備え、前記細長い部材が、複数の突起及びスロットを備える、請求項１〜３のいずれかに記載のシステム。
【請求項５】
前記コーピングの前記仮連結機構が、弾性部材を備える、請求項１〜４のいずれかに記載のシステム。
【請求項６】
前記コーピングが、本体コンポーネントとコネクターコンポーネントを備え、前記コネクターコンポーネントが、前記コーピングの前記仮連結機構を備える、請求項１〜５のいずれかに記載のシステム。
【請求項７】
切削治具を更に備える、請求項１〜６のいずれかに記載のシステム。
【請求項８】
前記コーピングの前記仮連結機構によって、前記コーピングに取り外し可能な状態で連結するように構成された位置合わせ治具を更に備える、請求項７に記載のシステム。
【請求項９】
前記位置合わせ治具が、前記切削治具を通すことができる位置合わせ機構を更に備える、請求項８に記載のシステム。
【請求項１０】
患者の顎内のインプラント及びアバットメントへの歯科用補綴物の連結方法であって、
仮連結機構によって、コーピングを前記アバットメントに一時的に連結することと、
前記補綴物と前記コーピングとの間の位置を修正し、前記補綴物を前記コーピングに連結することと、
前記補綴物と前記コーピングが前記修正位置に留まるようにして、前記補綴物と前記コーピングを前記アバットメントから外すことと、
を含む方法。
【請求項１１】
切削治具を用いて、少なくとも前記補綴物を通る穴を形成することを更に含む、請求項１０に記載の方法。
【請求項１２】
少なくとも前記補綴物を通る穴を形成する前記ステップが、位置合わせ治具を前記コーピングに取り付けることと、前記位置合わせ治具を用いて、前記切削治具を前記補綴物に対して位置合わせすることとを含む、請求項１１に記載の方法。
【請求項１３】
第２の連結機構によって、前記コーピングを前記アバットメントに連結することを更に含み、前記第２の連結機構が、前記仮連結機構とは異なる、請求項１０または１１のいずれかに記載の方法。
【請求項１４】
仮連結機構によって、前記コーピングを前記アバットメントに一時的に連結する前記ステップが、前記コーピングのスナップフィット連結機構を、前記アバットメントの対応するスナップフィット連結機構と嵌合することを含む、請求項１０〜１３のいずれかに記載の方法。
【請求項１５】
前記補綴物を前記コーピングに連結する前記ステップが、接着剤を前記コーピングと前記補綴物に塗布することを含む、請求項１０〜１４のいずれかに記載の方法。
【請求項１６】
前記補綴物と前記コーピングとの間の位置を修正する前記ステップが、咬合面を配向し、対合歯の咬合面との前記補綴物の高径を確立することを含む、請求項１０〜１５のいずれかに記載の方法。
【請求項１７】
前記補綴物を前記コーピングに取り付ける前記ステップの前に、前記補綴物が前記コーピングに対して仮嵌合したことを判断することを更に含む、請求項１０〜１６のいずれかに記載の方法。
【請求項１８】
歯科用インプラントに連結するように構成された歯科用補綴物の作製方法であって、
１つ以上の歯科用コンポーネントを前記インプラントに連結することであって、前記１つ以上の歯科用コンポーネントの少なくとも１つの歯科用コンポーネントが、仮連結機構を有する、前記連結することと、
前記補綴物を前記１つ以上の歯科用コンポーネントに接合することと、
前記仮連結機構によって、前記補綴物と前記少なくとも１つの歯科用コンポーネントを前記インプラントから切り離すことと、
前記少なくとも１つの歯科用コンポーネントと前記補綴物の両方に貫通穴を形成することであって、前記貫通穴が、前記補綴物と、前記歯科用インプラントに対する前記少なくとも１つの歯科用コンポーネントと連結するように構成された固定具を受け入れるように構成されている、前記形成することと
を含む方法。
【請求項１９】
前記貫通穴を形成することが、切削治具を用いて、前記少なくとも１つの歯科用コンポーネントの遠位側から、前記貫通穴を形成することを含む、請求項１８に記載の方法。
【請求項２０】
前記貫通穴を形成することが、前記切削治具または別の切削治具を用いて、前記補綴物の咬合側から、前記貫通穴を形成することを更に含む、請求項１９に記載の方法。
【請求項２１】
前記貫通穴に挿入した前記固定具を用いて、前記少なくとも１つの歯科用コンポーネントと前記補綴物とを前記インプラントに連結することを更に含む、請求項１８に記載の方法。
【請求項２２】
前記仮連結機構が、スナップフィット連結機構を含む、請求項１８に記載の方法。
【請求項２３】
前記仮連結機構が、摩擦嵌め連結機構を含む、請求項１８に記載の方法。
【請求項２４】
前記少なくとも１つの歯科用コンポーネントが、前記仮連結機構によって前記インプラントと連結するように構成されたアバットメントを含む、請求項１８に記載の方法。
【請求項２５】
前記１つ以上の歯科用コンポーネントが、コーピングとアバットメントを含むか、
前記少なくとも１つの歯科用コンポーネントが、前記仮連結機構によって前記アバットメントと連結するように構成された前記コーピングを含むか、または
前記少なくとも１つの歯科用コンポーネントが、前記仮連結機構によって前記コーピングと連結するように構成された前記アバットメントを含む、
請求項１８に記載の方法。
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
単一の取得スキャンで複数のレビューモードを提供するための方法であって、
単一の取得シーケンス中にリアルタイムで、少なくとも基本波取得モード及び高調波取得モードを含む超音波画像取得モードの間で切り替えることにより、少なくとも基本波モード及び高調波モードを含む複数の超音波撮像モードについての画像フレームを取得するステップと、
前記画像フレームを、以降のレビューのために、前記超音波画像取得モードの各々について非一時的メモリに記憶するステップと、
レビュー中、前記複数の超音波撮像モードの各々が前記単一の取得シーケンスからレビューのために利用可能であるように、記憶された前記画像フレームから、前記複数の超音波撮像モードの各々についての表示を選択的に生成するステップと、
を含む、方法。
【請求項２】
前記単一の取得シーケンスにおいて、前記複数の超音波撮像モードの各々について、相対的フレームレートを選択するステップをさらに含む、請求項１に記載の方法。
【請求項３】
画像フレームを取得する前記ステップは、２つの撮像モードから画像フレームを取得するステップを含み、前記超音波画像取得モードは、前記２つの撮像モードの各々について交互にフレームが取得されるように切り替えられる、請求項１に記載の方法。
【請求項４】
画像フレームを取得する前記ステップは、前記単一の取得シーケンス中に単一の撮像モードを表示するステップを含む、請求項１に記載の方法。
【請求項５】
前記記憶された画像を使用した合成を有効化／無効化するステップをさらに含む、請求項１に記載の方法。
【請求項６】
前記複数の超音波撮像モードは、第１の診断情報を発見するための第１の撮像モードと、器官内の病変を識別するための第２の診断情報を発見するための第２の撮像モードと、を含む、請求項１に記載の方法。
【請求項７】
単一の取得スキャンで複数のレビューモードを提供するためのコンピュータ可読プログラムを含む非一時的コンピュータ可読記憶媒体であって、前記コンピュータ可読プログラムは、コンピュータ上で実行されると、請求項１に記載の方法のステップを前記コンピュータに実行させる、非一時的コンピュータ可読記憶媒体。
【請求項８】
単一の取得スキャンで複数のレビューモードを提供するためのシステムであって、
単一の取得シーケンス中に、少なくとも基本波取得モード及び高調波取得モードを含む超音波画像取得モードの間で自動的に切り替えることにより、少なくとも基本波モード及び高調波モードを含む複数の超音波撮像モードについての画像フレームを取得する超音波撮像デバイスと、
前記超音波画像取得モードの各々について、以降のレビューのために、前記画像フレームを非一時的メモリに記憶するメモリデバイスと、
前記複数の超音波撮像モードの各々が前記単一の取得シーケンスからレビューのために利用可能であるように、記憶された前記画像フレームから前記複数の超音波撮像モードのうちの１つを表示するためのディスプレイを有するレビュー用ワークステーションと、
を含む、システム。
【請求項９】
前記単一の取得シーケンスにおいて、前記複数の超音波撮像モードの各々について、シーケンシャルフレームの数を設定するための相対的フレームレートの制御をさらに含む、請求項８に記載のシステム。
【請求項１０】
前記相対的フレームレートは、前記単一の取得シーケンスにおける前記複数の超音波撮像モードのうちの少なくとも１つについての連続フレームの整数倍を含む、請求項９に記載のシステム。
【請求項１１】
前記複数の超音波撮像モードは２つの撮像モードを含み、前記撮像モードは、前記２つの撮像モードの各々について交互にフレームが取得されるように切り替えられる、請求項８に記載のシステム。
【請求項１２】
前記複数の超音波撮像モードは、合成基本波モード、合成高調波モード、カラーモード、カラーパワーアンジオプラスティモード、及び／又はエラストグラフィモードのうちの１つ以上をさらに含む、請求項８に記載のシステム。
【請求項１３】
前記レビュー用ワークステーションは、前記超音波撮像デバイスによって収集された生データから複数の超音波撮像モードを生成するために前記生データを後処理する画像レンダリングモジュールを含む、請求項８に記載のシステム。
【請求項１４】
前記レビュー用ワークステーションは、乳癌のスクリーング用である、請求項８に記載のシステム。
【手続補正書】
【提出日】平成30年8月27日(2018.8.27)
【手続補正１】
【補正対象書類名】明細書
【補正対象項目名】発明の名称
【補正方法】変更
【補正の内容】
【発明の名称】膨張可能ブラダを含む圧縮ガーメントとの使用のための圧縮デバイスコントローラ、及びブラダの膨張を制御するコンピュータ実装方法
【手続補正２】
【補正対象書類名】特許請求の範囲
【補正対象項目名】全文
【補正方法】変更
【補正の内容】
【特許請求の範囲】
【請求項１】
膨張可能ブラダを含む圧縮ガーメントとの使用のための圧縮デバイスコントローラであって、前記コントローラは、
加圧流体源と、
前記加圧流体源と流体連通しているマニホールドと、
前記マニホールド内の圧力を測定するために前記マニホールドと通信する圧力センサと、
少なくとも２つのブラダポートであって、各ブラダポートは、前記圧縮ガーメントのそれぞれの膨張可能ブラダに流体連通して接続可能である、少なくとも２つのブラダポートと、
少なくとも２つの双方向弁であって、各双方向弁は、前記マニホールドおよびそれぞれのブラダポートと流体連通し、各双方向弁は、前記マニホールドと前記それぞれのブラダポートとの間の流体連通を制御するように作動可能であり、各弁は２方/２面弁である、少なくとも２つの双方向弁と、
１つ以上のプロセッサと、コンピュータ実行可能命令を有する非一過性コンピュータ読み取り可能な記憶媒体と
を備え、
前記命令は、
流体を前記加圧流体源から前記少なくとも２つの双方向弁に向かわせることと、
各ブラダポートが圧縮ガーメントのそれぞれのブラダと流体連通しているとき、１度に１つのブラダのみが前記マニホールドと流体連通するように、前記少なくとも２つの弁を順に作動させることと、
前記圧力センサから、各それぞれのブラダポートが前記マニホールドと流体連通している間の前記マニホールド内の圧力を示すそれぞれの圧力信号を受信することと、
各受信された圧力信号を別の圧力と比較することと、
各受信された圧力信号の比較に基づいて圧力勾配を決定することと、
前記受信された圧力信号の比較に少なくとも部分的に基づいて、前記加圧流体源および前記少なくとも２つの双方向弁のうちの１つ以上のものを調節することと
を前記１つ以上のプロセッサに行わせる、圧縮デバイスコントローラ。
【請求項２】
通気ポートと通気弁とをさらに備え、前記通気弁は、前記マニホールドおよび前記通気ポートと流体連通し、前記通気ポートは、大気と流体連通し、前記通気弁は、前記マニホールドと前記通気ポートとの間の流体連通を制御するように作動可能である、請求項１に記載の圧縮デバイスコントローラ。
【請求項３】
前記双方向弁の各々は、常時開弁である、請求項１に記載の圧縮デバイスコントローラ。
【請求項４】
前記各受信された圧力信号を別の圧力と比較するための前記命令は、各受信された圧力信号を互いに比較するための命令を含む、請求項１に記載の圧縮デバイスコントローラ。
【請求項５】
前記各受信された圧力信号を別の圧力と比較するための前記命令は、各受信された圧力信号を事前決定された値と比較するための命令を含む、請求項１に記載の圧縮デバイスコントローラ。
【請求項６】
前記加圧流体源および前記少なくとも２つの双方向弁のうちの１つ以上のものを調節することを前記１つ以上のプロセッサに行わせる前記命令は、前記決定される圧力勾配を事前決定された圧力勾配に一致させるように、前記加圧流体源および前記少なくとも２つの双方向弁のうちの少なくとも１つを制御するための命令を含む、請求項１に記載の圧縮デバイスコントローラ。
【請求項７】
前記コンピュータ実行可能命令は、
流体を前記加圧流体源から前記少なくとも２つの双方向弁に向かわせることと、
前記膨張可能ブラダが前記それぞれのブラダポートと流体連通しているとき、前記少なくとも２つの弁を作動させることにより、前記膨張可能ブラダを１度に１つずつ、次々と膨張させることと
を前記１つ以上のプロセッサに行わせる命令をさらに含む、請求項１に記載の圧縮デバイスコントローラ。
【請求項８】
受信された圧力信号を比較することを前記１つ以上のプロセッサに行わせる前記命令は、前記受信された圧力信号に少なくとも部分的に基づいて、前記それぞれのブラダポートと流体連通する各それぞれの膨張可能ブラダ内の圧力のそれぞれの線形傾きを決定することを前記１つ以上のプロセッサに行わせる命令を含む、請求項１に記載の圧縮デバイスコントローラ。
【請求項９】
前記受信された圧力信号を比較するための前記コンピュータ実行可能命令は、前記線形傾きおよびそれぞれのブラダポートと流体連通するブラダの膨張の終了までの残り時間に基づいて、前記それぞれの膨張可能ブラダの膨張の終了時における膨張圧力が、別のブラダポートと流体連通する先に膨張させられた膨張可能ブラダの膨張圧力を超えるかどうかを決定するための命令を含む、請求項８に記載の圧縮デバイスコントローラ。
【請求項１０】
ブラダの膨張を制御するコンピュータ実装方法であって、前記コンピュータ実装方法は、
流体を加圧流体源から少なくとも２つの双方向弁と流体連通するマニホールドに向かわせることであって、各双方向弁は、それぞれの膨張可能ブラダと流体連通している、ことと、
１度に１つのブラダのみが前記マニホールドと流体連通するように、前記少なくとも２つの双方向弁を順に作動させることと、
前記マニホールドと通信する圧力センサから、各それぞれのブラダポートが前記マニホールドと流体連通している間の前記マニホールド内の圧力を示すそれぞれの圧力信号を受信することと、
前記受信された圧力信号を（ｉ）互いに比較すること、および／または、（ｉｉ）事前決定された値と比較することと、
前記受信された圧力信号の比較に少なくとも部分的に基づいて、前記加圧流体源および前記少なくとも２つの双方向弁のうちの１つ以上のものを調節することと
を含む、コンピュータ実装方法。
【請求項１１】
前記受信された圧力信号を比較することは、圧力勾配を決定することを含む、請求項１０に記載のコンピュータ実装方法。
【請求項１２】
前記向かわせられる流体の流動を調節することが、前記決定される圧力勾配を事前決定された圧力勾配に一致させるように、前記加圧流体源および前記少なくとも２つの双方向弁のうちの１つ以上のものを制御することを含む、請求項１１に記載のコンピュータ実装方法。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
光学療法ブランケットシステムであって、
患者の少なくとも一部を覆う、支える、及び／又は、包むように構成される光学療法ブランケットと、
前記光学療法ブランケット内部の温度を決定するためのシステムと、
を有し、
前記温度を決定するためのシステムは、
前記光学療法ブランケットによって保持及び／又は担持される、電磁放射を発するように構成される光源のセットと、
前記光学療法ブランケットにおける第一温度に関する情報を伝える第一出力信号を生成する第一温度センサと、
前記第一温度センサと動作可能に結合される一つ以上の物理的コンピュータプロセッサとを有し、
前記一つ以上の物理的コンピュータプロセッサが、
前記第一出力信号に基づいて前記第一温度を決定し、
前記光源のセットから一つ以上の光源において消散される電力の量を取得し、
（ａ）前記第一温度と、
（ｂ）取得された前記電力の量
に基づいて前記患者の中核体温を推定し、
推定された前記中核体温に基づいて前記光源のセットを制御する
ように構成される、
光学療法ブランケットシステム。
【請求項２】
前記一つ以上の物理的コンピュータプロセッサがさらに、
前記患者に対する閾値中核体温を取得するように構成され、
推定された前記中核体温と前記閾値中核体温との差に基づいて前記光源のセットが制御される、
請求項１に記載の光学療法ブランケットシステム。
【請求項３】
前記光学療法ブランケットが、第１断熱レベルを持つ第１の領域と、第２断熱レベルを持つ第２の領域と、を含み、前記第１断熱レベルが前記第２断熱レベルよりも大きい、請求項１又は２に記載の光学療法ブランケットシステム。
【請求項４】
前記光源のセットが発光ダイオードを含み、前記第一温度センサが前記第一領域において保持及び／又は担持される、請求項３記載の光学療法ブランケットシステム。
【請求項５】
前記第一領域が内向き側と外向き側を持つ構成要素を含み、前記第一温度センサが前記内向き側において若しくはその付近に配置され、前記温度を決定するシステムがさらに、
前記光学療法ブランケットにおける第二温度に関する情報を伝える第二出力信号を生成する第二温度センサを有し、当該第二温度センサが前記外向き側の中若しくは付近に配置され、
前記一つ以上の物理的プロセッサがさらに、
前記第二出力信号に基づいて前記第二温度を決定し、
前記第一温度と前記第二温度に基づいて前記第一領域を通る熱流束密度を決定し、
前記中核体温の推定がさらに前記熱流束密度に基づく、
請求項３記載の光学療法ブランケットシステム。
【請求項６】
前記光学療法ブランケットの中若しくは付近の温度に関する情報を伝える第三出力信号を生成する第三温度センサをさらに有し、当該第三温度センサが前記光学療法ブランケットの中若しくは付近の温度に関する情報を伝えるように配置され、
前記中核体温の推定がさらに前記光学療法ブランケットの中若しくは付近の温度に基づく、
請求項５記載の光学療法ブランケットシステム。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
スチーム、水、及び／又は、水あかがトレイに向けられるように洗浄サイクルの間にスチーム装置のソールプレートを受けるためのトレイを有するスチーム装置のためのアクセサリであって、前記トレイは、前記スチーム装置のソールプレートが前記トレイに受けられる場合に、スチームが前記トレイから開口を通じて前記スチーム装置から離れる方向に出て行くことができるように前記開口を持ち、前記トレイが、ベースと、前記ベースの上の位置で前記スチーム装置の前記ソールプレートを受けるとともに支持するための支持表面と、を持つ、アクセサリにおいて、前記支持表面が、前記トレイにおけるアパーチャの周縁を規定し、前記支持表面が、前記支持表面に受けられる前記ソールプレートの周辺端部の全周囲と接触するように構成されることを特徴とする、アクセサリ。
【請求項２】
前記支持表面が、前記ベースによって占有される平面に対して或る角度で延在する平面にある、請求項２記載のアクセサリ。
【請求項３】
前記支持表面に向かって前記ソールプレートをガイドするためのガイド壁を有する、請求項１又は２に記載のアクセサリ。
【請求項４】
前記ガイド壁の内側を向いている表面が、湾曲している、請求項３記載のアクセサリ。
【請求項５】
前記ソールプレートの周縁と前記支持表面との間に封止を形成するため前記支持表面上に弾性封止部材を有する、請求項１乃至４のいずれか１項に記載のアクセサリ。
【請求項６】
前記トレイが、前記支持表面を越えて延在する領域を持ち、前記開口が前記領域において供給されている、請求項１乃至５のいずれか１項に記載のアクセサリ。
【請求項７】
前記開口が、前記開口を通じて前記トレイから出て行くスチームを前記支持表面上に受けられる前記スチーム装置から離れる方向に方向付けるように構成されている、請求項６記載のアクセサリ。
【請求項８】
側壁が、前記ベースから上方へ延在し、前記側壁が、前記ベースに対して９８度乃至１０５度の領域にある角度を有する、請求項７記載のアクセサリ。
【請求項９】
前記トレイを運ぶためのハンドルを形成するため横方向外側に延在延在しているフランジを有する、請求項１乃至８のいずれか１項に記載のアクセサリ。
【請求項１０】
リブが、前記トレイの前記ベースから前記支持表面に向かって立っている、請求項１乃至９のいずれか１項に記載のアクセサリ。
【請求項１１】
ソールプレートを持ち、請求項１乃至１０のいずれか１項に記載のアクセサリを有する、スチームアイロンなどのスチーム装置。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
可撓性の細長い部材と、
前記可撓性の細長い部材の遠位部分に配設された超音波スキャナアセンブリと
を備える超音波撮像デバイスであって、前記超音波スキャナアセンブリは、
半導体基板上に形成された、制御回路の複数のトランジスタと、
前記半導体基板上に形成され、前記制御回路に電気的に結合された複数の超音波トランスデューサと
を有する当該半導体基板を含み、
前記超音波スキャナアセンブリが丸められた形態であるときに、前記半導体基板が、実質的に円筒形状を有するように湾曲され、
前記超音波スキャナアセンブリが前記丸められた形態であるときに、前記複数のトランジスタ及び前記複数の超音波トランスデューサが円筒形構成で構成される、
超音波撮像デバイス。
【請求項２】
前記複数の超音波トランスデューサの各トランスデューサが、並列に電気接続された複数のトランスデューサ要素を含む、請求項１に記載の超音波撮像デバイス。
【請求項３】
前記複数のトランスデューサ要素がＣＭＵＴトランスデューサ要素を含む、請求項２に記載の超音波撮像デバイス。
【請求項４】
前記複数のトランスデューサ要素が薄膜圧電トランスデューサ要素を含む、請求項２に記載の超音波撮像デバイス。
【請求項５】
前記複数の超音波トランスデューサの各トランスデューサが、少なくとも２グループのトランスデューサ要素を含み、前記少なくとも２グループのトランスデューサ要素が、前記制御回路によって個別にアドレス指定可能である、請求項１に記載の超音波撮像デバイス。
【請求項６】
前記半導体基板が、元素半導体基板及び化合物半導体基板の１つを含み、前記超音波スキャナアセンブリが前記丸められた形態であるときに、前記元素半導体基板及び前記化合物半導体基板の前記１つが円筒形状を有するように湾曲される、請求項１に記載の超音波撮像デバイス。
【請求項７】
前記複数のトランジスタ及び前記複数の超音波トランスデューサの上に形成された絶縁層を更に備え、それにより、前記超音波スキャナアセンブリが前記丸められた形態であるときに、前記絶縁層が、前記複数のトランジスタ及び前記複数の超音波トランスデューサの外側である、請求項１に記載の超音波撮像デバイス。
【請求項８】
前記超音波スキャナアセンブリが、前記丸められた形態であるときに前記半導体基板の前記円筒形状内に配設されるフェルールを更に含む、請求項１に記載の超音波撮像デバイス。
【請求項９】
前記フェルールが、ガイドワイヤを通る内腔を含む、請求項８に記載の超音波撮像デバイス。
【請求項１０】
丸め可能な前記半導体基板が、１０μｍ未満又は実質的に１０μｍの厚さを有する、請求項１に記載の超音波撮像デバイス。
【請求項１１】
超音波撮像デバイスを製造する方法であって、
半導体基板を受け取るステップと、
トランジスタを前記半導体基板上に形成するステップと、
超音波トランスデューサを前記半導体基板上に形成するステップと、
前記トランジスタを有する前記半導体基板と、前記半導体基板上に形成された前記超音波トランスデューサとを、実質的に円筒形状を有するように丸めるステップとを含む、
方法。
【請求項１２】
前記半導体基板を１０μｍ未満又は実質的に１０μｍの厚さに薄層化するステップを含む、前記半導体基板を丸める前記ステップの前に、前記半導体基板を剛性の状態から丸め可能な状態に変えるためのプロセスを実施するステップを更に含む、請求項１１に記載の方法。
【請求項１３】
前記半導体基板を薄層化する前記ステップが、研削と化学機械的研磨プロセスとの１つを含む、請求項１２に記載の方法。
【請求項１４】
前記半導体基板を薄層化する前記ステップが、化学的研磨プロセスを含む、請求項１２に記載の方法。
【請求項１５】
前記半導体基板を薄層化する前記ステップが、前記半導体基板の埋込層を利用して、薄層化された前記半導体基板の厚さを制御する、請求項１２に記載の方法。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
複数の感知素子を備える指紋センサを使用して獲得された指の指紋パターンの表現を決定する方法であって、
サンプリング行列を選択するステップであって、前記サンプリング行列は、前記指紋センサを使用して指紋画像を取得するためのサンプリングパターンを表す、ステップと、
前記サンプリング行列に従って前記指紋センサを使用して前記指紋画像を取得するステップと、
線形フィルタを、取得した前記指紋画像に適用するステップであって、前記線形フィルタの設定は前記サンプリング行列に依存し、前記線形フィルタは前記取得した指紋画像内のノイズ低減のために設けられる、ステップと、
フィルタリングされた前記指紋画像に基づいて前記指紋パターンの前記表現を決定するステップと、を備え、
前記指紋センサは二次元指紋センサであり、前記サンプリング行列は、前記複数の感知素子の選択された部分に対応する、方法。
【請求項２】
前記複数の感知素子の前記選択された部分は、近接して配置された感知素子のグループとして選択される、請求項１に記載の方法。
【請求項３】
前記複数の感知素子の前記選択された部分は、前記指紋センサにわたって空間的に分離される、請求項１または２に記載の方法。
【請求項４】
前記サンプリング行列は、前記取得した指紋画像内の最小化されたノイズの量に対応するよう選択される、請求項１に記載の方法。
【請求項５】
前記指紋画像内にノイズが存在する対数尤度比を決定するステップと、
前記対数尤度比を所定の閾値と比較するステップと、
前記対数尤度比が前記閾値を超えた場合にのみ、前記指紋画像のフィルタリングを行うステップと、をさらに備える、請求項１に記載の方法。
【請求項６】
対数尤度比を決定するステップは、ノイズが存在しないことを仮定するために尤度関数を求めることと、前記サンプリング行列に従ってノイズが存在することを仮定するために前記尤度関数を決定することと、を備える、請求項１に記載の方法。
【請求項７】
非線形のマッピング関数を前記取得した指紋画像に適用するステップをさらに備える、請求項１に記載の方法。
【請求項８】
前記非線形のマッピング関数は対数関数である、請求項７に記載の方法。
【請求項９】
前記線形フィルタはウィンナーフィルタである、請求項１に記載の方法。
【請求項１０】
画素のアレイを有する指紋センサと、
前記指紋センサに電気接続された制御ユニットと、を備える携帯用電子機器であって、
前記制御ユニットは、
サンプリング行列を選択することであって、前記サンプリング行列は、前記指紋センサを使用して指紋画像を取得するためのサンプリングパターンを表すことと、
線形フィルタを、取得した前記指紋画像に適用することであって、前記線形フィルタの設定は前記サンプリング行列に依存し、前記線形フィルタは前記取得した指紋画像内のノイズ低減のために設けられることと、
前記フィルタリングされた指紋画像に基づいて指紋パターンの表現を決定することと、のために構成され、
前記指紋センサは二次元指紋センサであり、前記サンプリング行列は、前記複数の感知素子の選択された部分に対応する、携帯用電子機器。
【請求項１１】
前記指紋センサは容量感知技術を採用する、請求項１０に記載の携帯用電子機器。
【請求項１２】
前記指紋センサは、少なくとも１６０×１６０画素、より好ましくは１９２×１９２画素、最も好ましくは２０８×８０画素を備える、請求項１０または１１に記載の携帯用電子機器。
【請求項１３】
前記携帯用電子機器は携帯電話である、請求項１０から１２のいずれか一項に記載の携帯用電子機器。
【請求項１４】
携帯用電子機器を制御するよう適応された制御ユニットのコンピュータプログラム手段を格納したコンピュータ可読媒体を備え、前記携帯用電子機器は指紋センサおよび制御ユニットを備える、コンピュータプログラム製品であって、
サンプリング行列を選択するためのコードであって、前記サンプリング行列は、前記指紋センサを使用して指紋画像を取得するためのサンプリングパターンを表す、コードと、
前記指紋センサを使用してかつ前記サンプリング行列に従って前記指紋画像を取得するためのコードと、
線形フィルタを、取得した前記指紋画像に適用するためのコードであって、前記線形フィルタの設定は前記サンプリング行列に依存し、前記線形フィルタは前記取得した指紋画像内のノイズ低減のために設けられるコードと、
前記フィルタリングされた指紋画像に基づいて指紋パターンの表現を決定するためのコードと、を備え、
前記指紋センサは二次元指紋センサであり、前記サンプリング行列は、前記複数の感知素子の選択された部分に対応するコンピュータプログラム製品。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
アプリケーションサーバ環境におけるリソースの分離および消費のためのシステムであって、
１つ以上のコンピュータを含み、前記１つ以上のコンピュータは、前記１つ以上のコンピュータ上で実行されるアプリケーションサーバ環境を含むとともに、
前記アプリケーションサーバ環境内で用いることができる複数のリソースと、
各々がドメインの管理および実行時間下位区分を備える１つ以上のパーティションとを含み、前記システムはさらに、
構成可能なリソース消費管理モジュールを含み、前記構成可能なリソース消費管理モジュールは、複数のリソース予約、複数のリソース制約および複数のリソース通知からなる群のうち少なくとも１つのメンバを含み、
前記リソース消費管理モジュールは、前記複数のリソースについての各パーティションの使用を監視するように構成される、システム。
【請求項２】
前記複数のリソースは複数の共有リソースを含み、前記リソース消費管理モジュールはさらに、前記複数のリソース予約、前記複数のリソース制約および前記複数のリソース通知からなる群のうちの少なくとも１つのメンバを構成するための命令を受信するように構成される、請求項１に記載のシステム。
【請求項３】
前記複数のリソース制約は、前記１つ以上のパーティションのうちのパーティションが予め定義された量を上回る前記複数の共有リソースを用いる場合、制約アクションを実行するように構成される、請求項２に記載のシステム。
【請求項４】
前記制約アクションは、減速、失敗およびシャットダウンからなる群から選択される、請求項３に記載のシステム。
【請求項５】
前記複数のリソース通知は、前記１つ以上のパーティションのうちのパーティションが予め定義された量を上回る前記複数の共有リソースを用いる場合、通知アクションを提供するように構成される、請求項２から４のいずれかに記載のシステム。
【請求項６】
前記複数のリソース制約は、公平共有値を上回る前記複数の共有リソースを用いて、前記１つ以上のパーティションのうちのパーティションに対する制約アクションを実行するように構成され、前記制約アクションは減速を含み、前記減速は、前記１つ以上のパーティションのうちの前記パーティションの前記公平共有値を減少させ、前記公平共有値は、前記１つ以上のパーティションのうちの前記パーティションに割当てられたいくつかのワークインスタンスに関連付けられる、請求項２に記載のシステム。
【請求項７】
前記アプリケーションサーバ環境はマルチテナントアプリケーションサーバ環境であり、前記１つ以上のパーティションの各々は、複数の予め定義されたサービスレベルのうちの１つに関連付けることができ、前記複数の予め定義されたサービスレベルの各々は、前記複数のパーティションによって複数のリソースの管理を判断するために、前記リソース消費管理モジュールによって使用されるように構成される、請求項１から６のいずれかに記載のシステム。
【請求項８】
アプリケーションサーバ環境におけるリソースの分離および消費のための方法であって、
アプリケーションサーバ環境を含み、前記アプリケーションサーバ環境が実行されている１つ以上のコンピュータにおいて、
前記アプリケーションサーバ環境内で用いることができる複数のリソースと、
各々がドメインの管理および実行時間下位区分を備える１つ以上のパーティションとを提供するステップと、
前記複数のリソースについての各パーティションの使用を監視するようにリソース消費管理モジュールを構成するステップとを含み、前記リソース消費管理モジュールは、複数のリソース予約、複数のリソース制約および複数のリソース通知からなる群のうち少なくとも１つのメンバを含む、方法。
【請求項９】
デプロイ可能な前記複数のリソースは複数の共有リソースを含み、前記リソース消費管理モジュールはさらに、前記複数のリソース予約、前記複数のリソース制約および前記複数のリソース通知からなる群のうち少なくとも１つのメンバを構成するための命令を受信するように構成される、請求項８に記載の方法。
【請求項１０】
前記１つ以上のパーティションのうちのパーティションが、予め定義された量を上回る前記複数の共有リソースを用いる場合、制約アクションを実行するように前記複数のリソース制約を構成するステップをさらに含む、請求項８または９に記載の方法。
【請求項１１】
前記制約アクションは、減速、失敗およびシャットダウンからなる群から選択される、請求項１０に記載の方法。
【請求項１２】
前記１つ以上のパーティションのうちのパーティションが予め定義された量を上回る前記複数の共有リソースを用いる場合、通知アクションを提供するように前記複数のリソース通知を構成するステップをさらに含む、請求項８から１０のいずれかに記載の方法。
【請求項１３】
前記通知アクションは、ログイベントファイルをプッシュし、前記ログイベントファイルは、システムアドミニストレータによってアクセス可能である、請求項１２に記載の方法。
【請求項１４】
前記１つ以上のパーティションの各々は、複数の予め定義されたサービスレベルのうちの１つに関連付けられ、前記複数の予め定義されたサービスレベルの各々は、前記複数のパーティションによって複数のリソースの管理を判断するために、前記リソース消費管理モジュールによって使用されるように構成される、請求項８から１０のいずれかまたは１２に記載の方法。
【請求項１５】
機械読取り可能フォーマットのプログラム命令を含むコンピュータプログラムであって、前記プログラム命令は、コンピュータシステムによって実行されると、請求項８から１４のいずれかに記載の方法を前記コンピュータシステムに実行させる、コンピュータプログラム。
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
人工ニューラルネットワークをトレーニングするコンピュータにより実施される方法であって、
プロセッサによって、低いランクに収束するように前記人工ニューラルネットワーク内の少なくとも１つのフィルタをトレーニングすることと、前記トレーニングすることは、
前記少なくとも１つのフィルタを、行フィルタと列フィルタとの線形結合に分割することと、
逆伝搬によって前記低いランクに伝えるように前記行フィルタおよび前記列フィルタをトレーニングするために勾配更新を適用することと
を備え、
前記人工ニューラルネットワークをトレーニングするために、前記少なくとも１つのフィルタを用いて、分解された畳込みを行うことと、
を備える、方法。
【請求項２】
前記トレーニングすることが、正則化項を前記少なくとも１つのフィルタのフィルタ重み行列に適用することを備える、請求項１に記載の方法。
【請求項３】
前記正則化項が、低ランク行列をトレーニングするためのコストメトリックである、請求項２に記載の方法。
【請求項４】
前記正則化項が核型ノルムである、請求項２に記載の方法。
【請求項５】
人工ニューラルネットワークをトレーニングするための装置であって、
低いランクに収束するように前記人工ニューラルネットワーク内の少なくとも１つのフィルタをトレーニングするための手段と、前記トレーニングすることは、
前記少なくとも１つのフィルタを、行フィルタと列フィルタとの線形結合に分割することと、
逆伝搬によって前記低いランクに伝えるように前記行フィルタおよび前記列フィルタをトレーニングするために勾配更新を適用することと
を備え、
前記人工ニューラルネットワークをトレーニングするために、分解された畳込みを前記少なくとも１つのフィルタに適用するための手段と
を備える、装置。
【請求項６】
トレーニングするための前記手段が、正則化項を前記少なくとも１つのフィルタのフィルタ重み行列に適用する、請求項５に記載の装置。
【請求項７】
前記正則化項が、低ランク行列をトレーニングするためのコストメトリックである、請求項６に記載の装置。
【請求項８】
前記正則化項が核型ノルムである、請求項６に記載の装置。
【請求項９】
人工ニューラルネットワークをトレーニングするためのプログラムコードを符号化した非一時的コンピュータ可読媒体であって、前記プログラムコードは、プロセッサによって実行され、請求項１から４のうちのいずれかに記載の方法を行うためのプログラムコードを備える、非一時的コンピュータ可読媒体。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
非常用電源から入力電力を受けると共に、１以上の照明装置を有する負荷に出力電力を供給する電力変換回路と、
前記負荷に掛かる電圧をリアルタイムに監視し、これに応答して電圧フィードバック信号を生成する電圧モニタと、
前記負荷を経る電流をリアルタイムに監視し、これに応答して電流フィードバック信号を生成する電流モニタと、
プログラマブル制御装置と、
を有する非常用照明ドライバであって、
前記プログラマブル制御装置は、前記電圧フィードバック信号及び前記電流フィードバック信号に応答して前記電力変換回路を制御して、前記負荷に供給される前記出力電力がプログラムされた電力出力プロファイルを有するようにプログラムされ、前記プログラムされた電力出力プロファイルが、時間、温度、前記非常用電源に採用されたエネルギ源のタイプ、前記非常用電源に蓄積された残存エネルギの量及び当該非常用照明ドライバが配置された領域の占有度のうちの少なくとも１つの関数である、
非常用照明ドライバ。
【請求項２】
前記プログラマブル制御装置が、（１）前記負荷に供給される出力電力と、（２）前記負荷に当該非常用照明ドライバのための前記プログラムされた電力出力プロファイルに対応して供給されるべきプログラムされた電力レベルとの間の差分をリアルタイムに計算すると共に、前記プログラムされた電力レベルを前記負荷に供給するように前記電力変換回路を制御するためのフィードバック信号を供給する電力計算ユニットを有する、請求項１に記載の非常用照明ドライバ。
【請求項３】
ユーザに当該非常用照明ドライバのための電力出力プロファイルを選択することを可能にするユーザインターフェースを更に有し、前記ユーザインターフェースは、当該非常用照明ドライバが前記選択された電力出力プロファイルを供給することが可能であるか否かに関する指示情報を供給する、請求項１に記載の非常用照明ドライバ。
【請求項４】
前記プログラムされた電力出力プロファイルが一連の単調に減少する定電力ステップからなる、請求項１に記載の非常用照明ドライバ。
【請求項５】
前記プログラマブル制御装置は不揮発性メモリを含み、該不揮発性メモリに前記プログラムされた電力出力プロファイルを識別するデータが記憶される、請求項１に記載の非常用照明ドライバ。
【請求項６】
前記プログラマブル制御装置が、前記電力変換回路を前記電圧フィードバック信号及び前記電流フィードバック信号に応答して制御するためのフィードバック信号を発生する適応サンプリングレート電力制御フィードバック電圧及び／又は勾配発生器を含む、請求項１に記載の非常用照明ドライバ。
【請求項７】
前記適応サンプリングレート電力制御フィードバック電圧及び／又は勾配発生器が、前記負荷に供給されている前記出力電力を前記電圧フィードバック信号及び前記電流フィードバック信号に基づいて決定すると共に、（１）前記負荷に当該非常用照明ドライバのための前記プログラムされた電力出力プロファイルに対応して供給されるべき目標出力電力と、（２）前記負荷に供給されている前記出力電力との間の差分を決定する適応サンプリングレート電力誤差計算エレメントを含む、請求項６に記載の非常用照明ドライバ。
【請求項８】
前記プログラムされた電力出力プロファイルは有限数の定電力ステップにより特徴付けられ、前記適応サンプリングレート電力制御フィードバック電圧及び／又は勾配発生器が、前記定電力ステップのうちの１つから前記定電力ステップのうちの他のものへの移行期間の間には第１の、より高いサンプリングレートを有し、定電力ステップの中間の期間においては第２の、より低いサンプリングレートを有する、請求項６に記載の非常用照明ドライバ。
【請求項９】
負荷に供給される電力を制御する方法であって、
非常用電源から入力電力を受け、該入力電力から前記負荷に出力電力を供給するステップと、
前記負荷に掛かる電圧をリアルタイムに監視し、これに応答して電圧フィードバック信号を生成するステップと、
前記負荷を経る電流をリアルタイムに監視し、これに応答して電流フィードバック信号を生成するステップと、
前記電圧フィードバック信号及び前記電流フィードバック信号に応答して電力変換回路を制御することにより前記負荷に供給される前記出力電力がプログラムされた電力出力プロファイルを有するようにするステップであって、前記プログラムされた電力出力プロファイルが、時間、温度、前記非常用電源に採用されたエネルギ源のタイプ、前記非常用電源に蓄積された残存エネルギの量及び非常用照明ドライバが配置された領域の占有度のうちの少なくとも１つの関数であるステップと、
を有する、方法。
【請求項１０】
前記電圧フィードバック信号及び前記電流フィードバック信号に応答して電力変換回路を制御するステップが、（１）前記負荷に供給される電力と、（２）前記プログラムされた電力出力プロファイルのために前記負荷に供給されるべき電力レベルとの間の差分をリアルタイムに計算するステップを有する、請求項９に記載の方法。
【請求項１１】
前記プログラムされた電力出力プロファイルは有限数の定電力ステップにより特徴付けられ、当該方法が、前記定電力ステップのうちの１つから前記定電力ステップのうちの他のものへの移行期間の間には前記負荷に供給される前記出力電力を第１の、より高いサンプリングレートでサンプリングし、定電力ステップの中間の期間においては前記負荷に供給される前記出力電力を第２の、より低いサンプリングレートでサンプリングするステップを更に有する、請求項９に記載の方法。
【請求項１２】
ユーザインターフェースから電力出力プロファイルを選択するためのデータを入力するステップを更に有する、請求項９に記載の方法。
【請求項１３】
前記ユーザインターフェースを介して、前記選択された電力出力プロファイルが達成可能であるか否かに関する指示情報を供給するステップを更に有する、請求項１２に記載の方法。
【請求項１４】
前記負荷は１以上の発光ダイオードを有し、当該方法が各定電力ステップの間において最終的に前記１以上の発光ダイオードに実質的に一定な電力を供給するために離散ステップで調整される電流を供給するステップを有する、請求項９に記載の方法。
【請求項１５】
前記離散ステップで調整される電流のステップの大きさを、（１）前記電流フィードバック信号により示される前記負荷を経る電流と、（２）前記負荷に前記非常用照明ドライバのための前記プログラムされた電力出力プロファイルに対応して供給されるべき目標負荷電流との間の差分に関連して調整するステップを更に有する、請求項１４に記載の方法。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
計算デバイスであって、
処理システムと、
前記処理システムにより、グラフィックスの構成を制御するように実行可能なディスプレイマネージャモジュールとを有し、
前記ディスプレイマネージャモジュールは、
ディスプレイデバイスを介して表示するユーザインターフェースを出力し、前記ユーザインターフェースは、前記ディスプレイデバイスの方向にかかわらずに課される予め決められたサイズ制約を有する一以上のグループに、前記グラフィックスの構成を表示するように構成され、その下のコンテンツアイテムを視覚的に表し、選択的アクセスを可能とし、
前記ディスプレイデバイスの回転を示す入力を検出し、
前記入力の検出に応じて、
前記回転に対応する前記グラフィックスの再構成を自動的に決定し、前記再構成は前記一以上のグループを維持し、前記一以上のグループに含まれるグラフィックスを再配置して、前記回転に対応し、
前記一以上のグループに含まれるグラフィックスの再配置に前記再構成を実施させるように構成され、
前記ディスプレイマネージャモジュールは、前記一以上のグループの優先度を決定し、決定された優先度に基づいて前記グラフィックスを再構成するように構成される、
計算デバイス。
【請求項２】
予め決められた前記サイズ制約は前記一以上のグループの各々の幅を制限する、
請求項１に記載の計算デバイス。
【請求項３】
予め決められた前記サイズ制約は前記一以上のグループの各々の幅を制限しない、
請求項１に記載の計算デバイス。
【請求項４】
予め決められた前記サイズ制約は前記一以上のグループの各々の高さを制限しない、
請求項１に記載の計算デバイス。
【請求項５】
予め決められた前記サイズ制約は前記一以上のグループの各々の高さを制限する、
請求項１に記載の計算デバイス。
【請求項６】
前記ディスプレイマネージャモジュールは、ユーザが前記一以上のグループを前記ユーザインターフェース中のどこに配置するかに基づいて、前記一以上のグループの優先度を決定するよう構成される、
請求項１に記載の計算デバイス。
【請求項７】
前記グラフィックスの構成は、前記グループ内のグラフィックスを構成する、最後に受け取られたユーザ入力に対する前記ディスプレイデバイスの方向に対して規定される、
請求項１に記載の計算デバイス。
【請求項８】
前記グループ中のグラフィックスを構成する、最後に受け取られたユーザ入力は、前記グループ中のグラフィックスを配置する入力、又は前記グループ中のグラフィックスをサイズ変更する入力のうち少なくとも１つを含む、
請求項７に記載の計算デバイス。
【請求項９】
前記グループ中のグラフィックスを配置する、最後に受け取られたユーザ入力に対する方向は、前記ディスプレイデバイスのポートレート方向又はランドスケープ方向のうち１つを含む、
請求項７に記載の計算デバイス。
【請求項１０】
前記グラフィックスの再構成は、前記グループ中のグラフィックスを配置する、最後に受け取られたユーザ入力に対する最後の方向ではないポートレート方向又はランドスケープ方向にでも決定される、
請求項９に記載の計算デバイス。
【請求項１１】
前記ディスプレイマネージャモジュールはさらに、
前記ディスプレイデバイスの他の回転を示す別の入力を検出し、前記他の回転は、前記回転が前記ディスプレイデバイスを回転した方向に前記ディスプレイデバイスを回し戻し、
前記別の入力の検出に応じて、前記グラフィックスの再構成から前記グラフィックスを再配置して、前記グラフィックスの構成により前記グラフィックスを表示するように構成される、
請求項１に記載の計算デバイス。
【請求項１２】
前記ディスプレイマネージャモジュールはさらに、
ユーザインターフェースが出力される異なるディスプレイデバイスへの変更を示す入力を検出し、
前記変更を示す入力の検出に応じて、前記ディスプレイデバイスの変更に対応する他の再構成を自動的に決定し、前記他の再構成は、前記一以上のグループを維持し、前記ディスプレイデバイスの変更に対応するように、前記一以上のグループ中のグラフィックスを再配置するように構成され、
前記処理システムによるユーザインターフェースのレンダリングに、変更されたディスプレイデバイスにより、前記グラフィックスの他の再構成を表示させるように構成される、
請求項１に記載の計算デバイス。
【請求項１３】
ユーザインターフェースにおいてグラフィックスの構成を制御する、コンピュータで実施される方法であって、
ユーザインターフェースが出力されるディスプレイデバイスにより前記ユーザインターフェースの一部が見られるビューイングペインの変更を示す入力を検出するステップであって、前記ユーザインターフェースは、下にあるコンテンツアイテムを視覚的に表し、一以上のグループ中のコンテンツアイテムへの選択的なアクセスを可能にするグラフィックスの構成を表すように構成されるステップと、
前記入力の検出に応じて、前記ビューイングペインの変更に対応する前記グラフィックスの再構成を自動的に決定するステップと、
前記再構成を実施する動作に、
各グループに含まれるグラフィックスを１つのグループとして再配置して、前記ビューイングペインの変更に対応するステップと、
各グループのグラフィックスを、前記構成におけるのと同じパターンでグラフィックごとに配置し、前記一以上のグループのグラフィックスが前記構成及び前記再構成において互いに対して同じパターンを有するようにするステップと、
前記グループを回転して、互いに、前記構成中のグループのアライメントとは異なるアライメントにし、
前記方法はさらに、前記一以上のグループの優先度を決定するステップと、決定された優先度に基づいて前記グラフィックスを再構成するステップとを含む、
方法。
【請求項１４】
前記構成の表示から移行するアニメーションをレンダリングして、前記ディスプレイデバイスによる前記グラフィックスの再構成を表示するステップをさらに含む、
請求項１３に記載の方法。
【請求項１５】
前記ユーザインターフェースは、水平方向または垂直方向の少なくとも１つで連続的スクローリングを可能とし、前記ユーザインターフェースの他の部分が前記ビューイングペインにより見えるようにできるように構成される、
請求項１３に記載の方法。